(57)【要約】【課題】  トンネル視野で苦しむ患者のための眼内レンズインプラントに関する。【解決手段】  眼内レンズインプラントは、触覚を取付けかつ前方端および後方端を形成するための封止インプラントハウジング、前記前方端に隣接して配置された少なくとも一つの負レンズ、および前記少なくとも一つの負レンズの後方に配置された少なくとも一つの正レンズを含む。【選択図】      図４
2004216158.tif 000002
【特許請求の範囲】
【請求項１】
トンネル視野で苦しむ患者による使用に特に適した眼内レンズインプラントであって、前記眼内レンズインプラントは、
触覚を取付けかつ前方端および後方端を形成するための封止インプラントハウジング、
前記前方端に隣接して配置された少なくとも一つの負レンズ、および
前記少なくとも一つの負レンズの後方に配置された少なくとも一つの正レンズを含むことを特徴とする、眼内レンズインプラント。
【請求項２】
前記少なくとも一つの正レンズは前記封止インプラントハウジングの後方窓を形成している、請求項１の眼内レンズインプラント。
【請求項３】
少なくとも一つのエアギャップが前記封止インプラントハウジング内に形成されている、請求項１の眼内レンズインプラント。
【請求項４】
前記少なくとも一つのエアギャップは、
前記少なくとも一つの負レンズと前記封止インプラントハウジングの前方端との間に形成された第一エアギャップ、および
前記少なくとも一つの負レンズと前記少なくとも一つの正レンズとの間に形成された第二エアギャップを含む、請求項１の眼内レンズインプラント。
【請求項５】
前記少なくとも一つの正レンズは接触場所で相互に対して接触する第一および第二正レンズを含む、請求項１の眼内レンズインプラント。
【請求項６】
前記少なくとも一つのエアギャップは前記第一および第二正レンズ間で前記接触場所を囲繞する部分に形成されている、請求項５の眼内レンズインプラント。
【請求項７】
前記第一および第二正レンズと機能的に係合する状態で前記封止インプラントハウジング内に設置された弾性要素を更に含み、それにより第一および第二正レンズを前記接触場所で接触するように付勢する、請求項５の眼内レンズインプラント。
【請求項８】
前記封止インプラントハウジングはガラスレーザー溶接により封止されたガラスハウジングを含む、請求項１の眼内レンズインプラント。
【請求項９】
前記封止インプラントハウジング内の前記少なくとも一つの正レンズおよび前記少なくとも一つの負レンズの表面は光学塗膜が塗布されている、請求項１の眼内レンズインプラント。
【請求項１０】
前記少なくとも一つの負レンズおよび前記少なくとも一つの正レンズは少なくとも一つの屈折および回折光学要素を含む、請求項１の眼内レンズインプラント。
【請求項１１】
前記眼内レンズインプラントは、前記眼内レンズインプラントが設置される目の外側に設置された少なくとも一つの負レンズにと機能的に共働する、請求項１の眼内レンズインプラント。
【請求項１２】
前記封止インプラントハウジングは前記前方端で窓に封止された概ね環状の要素を含む、請求項１の眼内レンズインプラント。
【請求項１３】
前記封止インプラントハウジングは入れ子式に共に封止された概ね円筒状の第一および第二円筒部を含み、それによりショルダを形成している、請求項１２の眼内レンズインプラント。
【請求項１４】
前記少なくとも一つの正レンズは接触場所で相互に対して接触する第一および第二正レンズを含む、請求項１３の眼内レンズインプラント。
【請求項１５】
少なくとも一つのエアギャップが前記第一および第二正レンズ間で前記接触場所を囲繞する部分に形成されている、請求項１４の眼内レンズインプラント。
【請求項１６】
前記第一および第二正レンズと機能的に係合する状態で前記封止インプラントハウジング内に設置された弾性要素を更に含み、それにより前記第一および第二正レンズを前記接触場所で接触するように付勢する、請求項１４の眼内レンズインプラント。
【請求項１７】
前記第一正レンズは前記第一および第二円筒部の一つへ前記後方端で封止されて後方窓を形成している、請求項１４の眼内レンズインプラント。
【請求項１８】
前記第一正レンズは前記封止インプラントハウジングの後方窓を形成している、請求項５の眼内レンズインプラント。
【請求項１９】
前記少なくとも一つの負レンズおよび前記第二正レンズはその間にエアギャップを持って対を形成している、請求項１の眼内レンズインプラント。
【請求項２０】
前記少なくとも一つの負レンズおよび前記第二正レンズはその間にエアギャップを持って対を形成しかつ相互に対して固定されている、請求項１３の眼内レンズインプラント。
【発明の詳細な説明】
【技術分野】
【０００１】
本発明は概ね光学インプラント、特に具体的にはトンネル視野で苦しむ患者のための眼内レンズインプラントに関する。
【背景技術】
【０００２】
本発明者による次の米国特許は技術の現状を示すと考えている。
特許文献１、特許文献２、特許文献３、特許文献４。
【０００３】
【特許文献１】ＵＳＰ５８１４１０３
【特許文献２】ＵＳＰ５８７４４２
【特許文献３】ＵＳＰ５９２８２８３
【特許文献４】ＵＳＰ６０６６１７１
【発明の開示】
【発明が解決しようとする課題】
【０００４】
本発明は緑内障および色素性網膜症の特徴的トンネル視野症状を軽減するのに適した光学インプラントを提供すること課題とする。
【課題を解決するための手段】
【０００５】
本発明によれば、トンネル視野で苦しむ患者による使用に特に適した眼内レンズインプラントが提供される。前記眼内レンズインプラントは、触覚を取付けかつ前方端および後方端を形成するための封止インプラントハウジング、前記前方端に隣接して配置された少なくとも一つの負レンズ、および前記少なくとも一つの負レンズの後方に配置された少なくとも一つの正レンズを含む。
【０００６】
好適形態において、前記少なくとも一つの正レンズは前記封止インプラントハウジングの後方窓を形成している。
【０００７】
更に、好適形態において、少なくとも一つのエアギャップが前記封止インプラントハウジング内に形成されている。好適には、二つのエアギャップが形成され、かつ前記少なくとも一つの負レンズと前記封止インプラントハウジングの前方端との間に形成された第一エアギャップ、および前記少なくとも一つの負レンズと前記少なくとも一つの正レンズとの間に形成された第二エアギャップを含む。
【０００８】
更に、好適形態において、前記正レンズは接触場所で相互に対して接触する第一および第二正レンズを含む。
【０００９】
好適には、前記少なくとも一つのエアギャップは前記第一および第二正レンズ間で前記接触場所を囲繞する部分に形成されている。
【００１０】
更に、好適形態において、前記眼内レンズインプラントは、前記第一および第二正レンズと機能的に係合する状態で前記封止インプラントハウジング内に設置された弾性要素を更に含み、それにより第一および第二正レンズを前記接触場所で接触するように付勢する。
【００１１】
更に、好適形態において、前記封止インプラントハウジングはガラスレーザー溶接により封止されたガラスハウジングを含む。
【００１２】
更に、好適形態において、前記封止インプラントハウジング内の前記少なくとも一つの正レンズおよび前記少なくとも一つの負レンズの表面は光学塗膜が塗布されている。
【００１３】
好適には、前記負レンズおよび前記正レンズは少なくとも一つの屈折および回折光学要素を含む。
【００１４】
更に、好適形態において、前記眼内レンズインプラントは、前記眼内レンズインプラントが設置される目の外側に設置された少なくとも一つの負レンズと機能的に共働する。
【００１５】
好適には、前記封止インプラントハウジングは前記前方端で窓に封止された概ね環状の要素を含む。
【００１６】
更に、好適形態において、前記封止インプラントハウジングは入れ子式に共に封止された概ね円筒状の第一および第二円筒部を含み、それによりショルダを形成している。
【００１７】
更に、好適形態において、前記第一正レンズは前記第一および第二円筒部の一つへ前記後方端で封止されて後方窓を形成している。
【００１８】
更に、好適形態において、前記第一正レンズは前記封止インプラントハウジングの後方窓を形成している。
【００１９】
更に、好適形態において、前記負レンズおよび前記第二正レンズはその間にエアギャップを持って対を形成している。
【００２０】
好適には、前記負レンズおよび前記第二正レンズはその間にエアギャップを持って対を形成しかつ相互に対して固定されている。
【発明を実施するための最良の形態】
【００２１】
本発明は図面を参照した詳細な説明により一層完全に理解されるであろう。
【００２２】
図１を参照すると、図１は、コンタクトレンズ１２を装用した目に埋め込んだ視野拡大望遠インプラント１０の簡略化した図である。コンタクトレンズ１２およびインプラント１０の両者は使用者の視野を拡大するために共働する。
【００２３】
図２を参照すると、図２は、眼鏡またはコンタクトレンズを装用しない目に埋め込んだ視野拡大望遠インプラント１６の簡略化した図である。ここで、インプラント１６は使用者の視野を拡大するために機能する。
【００２４】
図３を参照すると、図３は、眼鏡２２を装用する目に埋め込んだ視野拡大望遠インプラント２０の簡略化した図である。眼鏡２２およびインプラント２０は使用者の視野を拡大するために共働する。
【００２５】
図４を参照すると、図４は、本発明の好適形態により構成されかつ機能する視野拡大望遠インプラントの簡略化した図である。図４の形態はレンズの適宜選択により図１−３に示された機能内容のいずれかに使用できる。図４に示されたように、インプラントは好適には、インプラント本体１００を含み、これは触覚取付け構造体１０４を介して触覚１０２により支持される。インプラント本体１００は、代表例として、相互に対して封止された前方および後方円筒状ハウジング部１０６および１０８のそれぞれを含み、かつ前方円筒ハウジング部１０６を封止する透明前方窓１１０を含む。
【００２６】
代表例として、インプラント本体１００はガラスレーザー溶接により封止されるガラスハウジング部で形成される。
【００２７】
負レンズ１１２は前方円筒部１０６内で前方窓１１０の後方に設置される。負レンズ１１２には拡大レンズ１１４が対で固定され、拡大レンズは前方円筒ハウジング部１０６内に一部が存在し、かつ一部が後方円筒ハウジング部１０８内に位置する。拡大レンズ１１４の後方には正レンズ１１６が設置され、正レンズはインプラント本体１００の後方円筒ハウジング部１０８に封止係合状態で取付けられかつ後方対面窓を形成する。
【００２８】
好適には、負レンズ１１２および正レンズ１１６は屈折および回折光学要素を含む。
【００２９】
代表例として、負レンズ１１２および正レンズ１１６には光学塗膜が塗布されている。
【００３０】
本発明の重要な特徴は、インプラント本体１００の内部が外部から封止され、そのようにしてインプラントへ侵入する液体または蒸気を阻止することである。同様に、本発明の重要な特徴は、参照番号１２０，１２２および１２４により示された三つのエアギャップが屈折を促進するために設けられていることである。レンズ１１４と１１６間の接触点１２６の場所、および軸１３０に対するレンズ１１２と１１４間の周辺接触領域１２８の精度が所望焦点を維持するために重要である。
【００３１】
本発明の好適形態によれば、弾性Ｏリング１３２または同様機能を有する他の要素がレンズ１１４および１１６を付勢しかつ接触点１２６で接触係合状態を維持するために設けられている。
【００３２】
選択的に、インプラント本体は単一円筒または任意適宜数の円筒状部で形成されてよい。更に、任意適宜数のレンズの任意適宜組合せが採用できる。好適には、触覚１０２が適宜ポリマーにより形成され、インプラント本体１００は生適合性ガラスにより形成され、かつ前方窓１１０およびレンズ１１６はガラスにより形成されかつインプラント本体１００と封止係合するようにレーザー溶接される。
【００３３】
当業者に理解されるように、本発明は図示されかつ上述されたものに限定されない。寧ろ、本発明の範囲は上述の種々の特徴を組合せたもの、および本明細書から当業者が想起しかつ従来技術にない変更および改良を含む。
【図面の簡単な説明】
【００３４】
【図１】コンタクトレンズ装用者の目の中に埋め込んだ視野拡大望遠インプラントの簡略化図である。
【図２】眼鏡またはコンタクトレンズを装用しない人の目の中に埋め込んだ視野拡大望遠インプラントの簡略化図である。
【図３】眼鏡装用者の目の中に埋め込んだ視野拡大望遠インプラントの図である。
【図４】本発明の好適形態により構成され機能する視野拡大望遠インプラントの簡略化図である。
【符号の説明】
【００３５】
１０，１６，２０…視野拡大望遠インプラント
１２…コンタクトレンズ
１００…インプラント本体
１０６，１０８…円筒ハウジング部
１１０…窓
１１２…負レンズ
１１４…拡大レンズ
１１６…正レンズ
１３２…Ｏレンズ
１２０，１２２，１２４…エアギャップ
【図１】
2004216158.tif 000003
【図２】
2004216158.tif 000004
【図３】
2004216158.tif 000005
【図４】
2004216158.tif 000006
【外国語明細書】
2004216158000001.pdf